(57)【要約】      （修正有）【課題】フック部材がピクチャーレールのレール溝から外れないように、しかも取扱いの容易な外れ防止具とする。【解決手段】水平基板の一端に起立板を起立させ、水平基板の他端に前記起立板より短い短起立板を起立させ、短起立板の上端に内向き突板を突設させてレール溝を形成したピクチャーレールと、コ字状断面であって、基片の上端から水平片を突設し、水平片の先端から垂下片を垂設し、前記ピクチャーレールの突板に水平片を載置して垂下片をレール溝に嵌めたフックと、基片の両端から斜片を外方に延設し、前記フックを覆わせ、斜片を水平片と水平片先端から垂下片を垂設し、垂下片下端に内向き突起を突設し、両斜片を加圧して平行状に変形させてピクチャーレールのレール溝に嵌め、加圧を解除して斜片を外方に復帰させ内向き突起をピクチャーレールの内向き突板下方に位置させて係合させるようにした外れ防止金具とよりなる。【選択図】図１
0003112459.tif 000002
【実用新案登録請求の範囲】
【請求項１】
ピクチャーレールのレール溝にフック部材上端のフックを嵌め、ピクチャーレールとフックに外れ防止金具を装着したピクチャーレールのフック部材外れ防止具であって、水平基板の一端に起立板を起立させ、水平基板の他端に前記起立板より短い短起立板を起立させ、短起立板の上端に内向き突板を突設させてレール溝を形成したピクチャーレールと、コ字状断面であって、基片の上端から水平片を突設し、水平片の先端から垂下片を垂設し、前記ピクチャーレールの突板に水平片を載置して垂下片をレール溝に嵌めたフックと、基片の両端から斜片を外方に延設し、前記フックを覆わせ、斜片を水平片と水平片先端から垂下片を垂設し、垂下片下端に内向き突起を突設し、両斜片を加圧して平行状に変形させてピクチャーレールのレール溝に嵌め、加圧を解除して斜片を外方に復帰させ内向き突起をピクチャーレールの内向き突板下方に位置させて係合させるようにした外れ防止金具とよりなるピクチャーレールのフック部材外れ防止具。
【考案の詳細な説明】
【技術分野】
【０００１】
本考案は、ピクチャーレールのフック部材外れ防止具に関するものである。
【背景技術】
【０００２】
図８に示すように、従来のピクチャーレール１０１のレール溝１０２にフック部材１０３上端のフック１０４を嵌めたピクチャーレールのフック部材吊り下げ具では、フック部材１０３がピクチャーレール１０１のレール溝１０２から外れるのを防止するため、ピクチャーレール１０１との対向する面側にゴム等の摩擦部材を貼り付けているが、これでは十分でなく、ピクチャーレール１０１のレール溝１０２からフック部材１０３が外れ、フック部材１０３で吊り下げた絵画等の展示物を破損させてしまう。
【特許文献１】特開平１１−１５９０５０号公報
【考案の開示】
【考案が解決しようとする課題】
【０００３】
フック部材がピクチャーレールのレール溝から外れないようにすることが求められ、しかも外れ防止具は取扱いを容易とすることが求められる。
【課題を解決するための手段】
【０００４】
本考案は、上記の事情に鑑み、フック部材をピクチャーレールのレール溝から外れないようにし、しかも外れ防止具の取扱いを容易とすべく、ピクチャーレールのレール溝にフック部材上端のフックを嵌め、ピクチャーレールとフックに外れ防止金具を装着したピクチャーレールのフック部材外れ防止具であって、水平基板の一端に起立板を起立させ、水平基板の他端に前記起立板より短い短起立板を起立させ、短起立板の上端に内向き突板を突設させてレール溝を形成したピクチャーレールと、コ字状断面であって、基片の上端から水平片を突設し、水平片の先端から垂下片を垂設し、前記ピクチャーレールの突板に水平片を載置して垂下片をレール溝に嵌めたフックと、基片の両端から斜片を外方に延設し、前記フックを覆わせ、斜片を水平片と水平片先端から垂下片を垂設し、垂下片下端に内向き突起を突設し、両斜片を加圧して平行状に変形させてピクチャーレールのレール溝に嵌め、加圧を解除して斜片を外方に復帰させ内向き突起をピクチャーレールの内向き突板下方に位置させて係合させるようにした外れ防止金具とよりなるピクチャーレールのフック部材外れ防止具とした。
【考案の効果】
【０００５】
本考案は、ピクチャーレールのレール溝にフック部材上端のフックを嵌め、ピクチャーレールとフックに外れ防止金具を装着したピクチャーレールのフック部材外れ防止具であって、水平基板の一端に起立板を起立させ、水平基板の他端に前記起立板より短い短起立板を起立させ、短起立板の上端に内向き突板を突設させてレール溝を形成したピクチャーレールと、コ字状断面であって、基片の上端から水平片を突設し、水平片の先端から垂下片を垂設し、前記ピクチャーレールの突板に水平片を載置して垂下片をレール溝に嵌めたフックと、基片の両端から斜片を外方に延設し、前記フックを覆わせ、斜片を水平片と水平片先端から垂下片を垂設し、垂下片下端に内向き突起を突設し、両斜片を加圧して平行状に変形させてピクチャーレールのレール溝に嵌め、加圧を解除して斜片を外方に復帰させ内向き突起をピクチャーレールの内向き突板下方に位置させて係合させるようにした外れ防止金具とよりなるピクチャーレールのフック部材外れ防止具であるので、フック部材はピクチャーレールのレール溝から外れたりせず、しかも外れ防止具は容易に取り扱うことができる。
【考案を実施するための最良の形態】
【０００６】
本考案を、添付する図面に示す具体的な一実施例に基づいて、以下詳細に説明する。
【０００７】
本考案は、ピクチャーレールのレール溝にフック部材上端のフックを嵌め、ピクチャーレールとフックに外れ防止金具を装着したピクチャーレールのフック部材外れ防止具であって、水平基板の一端に起立板を起立させ、水平基板の他端に前記起立板より短い短起立板を起立させ、短起立板の上端に内向き突板を突設させてレール溝を形成したピクチャーレールと、コ字状断面であって、基片の上端から水平片を突設し、水平片の先端から垂下片を垂設し、前記ピクチャーレールの突板に水平片を載置して垂下片をレール溝に嵌めたフックと、基片の両端から斜片を外方に延設し、前記フックを覆わせ、斜片を水平片と水平片先端から垂下片を垂設し、垂下片下端に内向き突起を突設し、両斜片を加圧して平行状に変形させてピクチャーレールのレール溝に嵌め、加圧を解除して斜片を外方に復帰させ内向き突起をピクチャーレールの内向き突板下方に位置させて係合させるようにした外れ防止金具とよりなるピクチャーレールのフック部材外れ防止具である。
【０００８】
本考案のピクチャーレール１のフック部材外れ防止具は、図１に示すように、ピクチャーレール１のレール溝２にフック部材３上端のフック４を嵌め、ピクチャーレール１とフックに外れ防止金具５を装着してなる。
【０００９】
ピクチャーレール１は、水平基板１１の一端に起立板１２を起立させ、水平基板１１の他端に前記起立板１２より短い短起立板１３を起立させ、短起立板１３の上端に内向き突板１４を突設させてレール溝２を形成する。
【００１０】
短起立板１３の下方に垂下板１５を垂設し、基立板１２の上端に内向板１６を突設する。
【００１１】
内向き突板１４は内側方に開口し、端部より円形断面の頭部を挿入できる円形溝１７が刻設してある。
【００１２】
このピクチャーレール１は壁面にビス等で取付けられる。
【００１３】
フック部材３上端のフック４は、コ字状断面であって、基片２１の上端から水平片２２を突設し、水平片２２の先端から垂下片２３を垂設し、前記ピクチャーレール１の突板１４に水平片２２を載置して垂下片２３をレール溝２に嵌める。
【００１４】
外れ防止金具５は、基片３１の両端から斜片３２を外方に延設し、前記フック４を覆わせ、斜片３２を水平片３３と水平片３３先端から垂下片３５を垂設し、垂下片３５下端に内向き突起３６を突設し、両斜片３２を加圧して平行状に変形させてピクチャーレール１のレール溝２に嵌め、加圧を解除して斜片３２を外方に復帰させ内向き突起３６をピクチャーレール１の内向き突板１４下方に位置させて係合させる。
【００１５】
外れ防止金具５は、材質はＳＵＳ３０４ＣＳＰで、板厚０．５ｍｍで、バレル研磨後酸洗いして仕上げる。
【００１６】
この外れ防止金具５の展開図を図２に示す。概略長方形状板材中央に、縦方向平行に２個の開口３７を刻設し、開口３７の上下端にそれぞれ折り曲げライン３８・３９を設け、開口３７・折り曲げライン３８・折り曲げライン３９と開口３７・折り曲げライン３８・折り曲げライン３９間を基片３１とする。
【００１７】
基片３１の両側に対称の斜片３３・３３をそれぞれ連ねる。
【００１８】
斜片３３は、それぞれ基端片４０を連ね、基端片４０上側部より水平片３２を外方に延設し、水平片３２先端から垂下片３５を垂設し、垂下片３５下端に内向き突起３６を突設する。
【００１９】
この外れ防止金具５には、図３、図４に示すように、基片３１内面に板厚１．６ｍｍで透明の軟質塩化ビニール４１を貼り付け、外れ防止金具５でフック４を覆わせ、フック４の基片２１に当接させて外れ防止金具５がフック４より外れないようにする。
【００２０】
外れ防止金具５の一例を図５に示す。斜片３２は基片３１から６８°、基片３１の垂直線から２２°外側に延設されている。
【００２１】
図６はピクチャーレール１のレール溝２にフック部材３を吊り下げた状態を示している。フック部材３上端のフック４がその水平片２２を内向き突片１４に載置し、垂下片２３をレール溝２に嵌めて吊り下げる。
【００２２】
垂下片２３がレール溝２に嵌めやすくするために、垂下片２３とレール溝２との間に若干の隙間が存在するように設定してある。
【００２３】
外れ防止金具５でフック４を覆わせ、外れ防止金具５を図１の二点鎖線で示す平行状態まで外方から加圧すると、外れ防止金具５は図６の二点鎖線の示す状態となる。すなわち、外れ防止金具５の垂下片３５・内向き突起３６は、フック４の垂下片２３の幅内に納まるように設定してある。このように、外れ防止金具５の両斜片３２を外方から加圧して平行状にすると内向き突起３６も垂下片２３の幅内に納まりレール溝２内に挿入が可能となる。
【００２４】
次に、斜片３２に外方より加圧した力を解除すると、斜片３２は図１の実線で示す状態に復帰する。すると、内向き突起３６が図６に示すようにより内方に進入し、フック４を上方に持ち上げても内向き突起３６が内向き突板１４の下面に係合してフック４はレール溝２から外れない。なお、図７の模式平面図も参照されたい。
【００２５】
外れ防止金具５の弾性を利用してレール溝２に嵌める場合は、その斜片３２を加圧し、レール溝２に嵌まった後は加圧力を解除すると、斜片３２が復帰して内向き突起３６が係合可能となり外れ防止ができる。
【００２６】
外れ防止金具５の弾性を利用して単に加圧、加圧解除によりレール溝２に嵌め、外れ防止ができるので、取扱い操作が容易である。
【実施例】
【００２７】
外れ防止金具の展開の大きさは、概略６８ｍｍ×３５ｍｍで、板厚０．５ｍｍである。
【産業上の利用可能性】
【００２８】
本考案は、ピクチャーレールのフック部材の外れ防止具であるが、ピクチャーレールのフック部材の外れ防止具のみならず、吊り下げ部材の外れ防止具に使用できる。
【図面の簡単な説明】
【００２９】
【図１】本考案のピクチャーレールのフック部材の外れ防止具の具体的一実施例の斜視図である。
【図２】本考案の外れ防止金具の展開図である。
【図３】本考案の外れ防止金具に軟質塩化ビニールを貼り付けた状態の展開図である。
【図４】本考案の外れ防止金具に軟質塩化ビニールを貼り付けた状態の平面図である。
【図５】本考案の外れ防止金具の平面図である。
【図６】本考案のピクチャーパネルにフック部材を吊り下げ、外れ防止金具をフック部材上端のフックに覆わせて、外れ防止金具をピクチャーパネルのレール溝に挿入し、ピクチャーパネルの内向き突板に係合できるようにしたことを説明する側面図と模式図との二面図である。
【図７】本考案のピクチャーパネルにフック部材を吊り下げ、外れ防止金具をフック部材上端のフックに覆わせて、外れ防止金具をピクチャーパネルのレール溝に挿入し、ピクチャーパネルの内向き突板に係合できるようにしたことを説明する模式平面図である。
【図８】従来のピクチャーレールにフック部材を吊り下げた状態の斜視図である。
【符号の説明】
【００３０】
１１…水平基板
１２…起立板
１３…短起立板
２…レール溝
１…ピクチャーレール
２１…基片
２２…水平片
２３…垂下片
４…フック
３１…基片
３２…斜片
３３…水平片
３５…垂下片
３６…内向き突起
５…外れ防止金具
【図１】
0003112459.tif 000003
【図２】
0003112459.tif 000004
【図３】
0003112459.tif 000005
【図４】
0003112459.tif 000006
【図５】
0003112459.tif 000007
【図６】
0003112459.tif 000008
【図７】
0003112459.tif 000009
【図８】
0003112459.tif 000010